(57)【特許請求の範囲】
【請求項１】
電子機器を操作するための複数のリモートコントローラキーを備えたリモートコントローラと接続された状態で前記リモートコントローラキーの操作に応答して動作する電子機器において、
前記リモートコントローラに備えられ、前記リモートコントローラキーの操作の受け付けを無効にすることを指示するためのリモートコントローラホールドキーが操作されることに応じて出力される操作信号を受信する第１受信手段と、
前記電子機器本体に備えられた複数の本体キーと、
前記本体キーの操作の受け付けを無効にすることを指示するための本体ホールドキーと、
前記本体ホールドキーが操作されることに応じて出力される操作信号を受信する第２受信手段と、
前記第１受信手段及び前記第２受信手段によって受信される操作信号に基づいて、前記本体キーの操作の受け付けを無効に制御するホールド制御手段と、
を備え、
前記ホールド制御手段は、前記第１受信手段によって受信される操作信号に基づいて無効に制御する場合と、前記第２受信手段によって受信される操作信号に基づいて無効に制御する場合とで、前記複数の本体キーのうち操作の受け付けを無効にする本体キーの対象を異ならせることを特徴とする電子機器。
【請求項２】
電子機器を操作するための複数のリモートコントローラキーを備えたリモートコントローラと接続された状態で前記リモートコントローラキーの操作に応答して動作する電子機器において、
前記リモートコントローラに備えられ、前記リモートコントローラキーの操作の受け付けを無効にすることを指示するためのリモートコントローラホールドキーが操作されることに応じて出力される操作信号を受信する第１受信手段と、
前記電子機器本体に備えられた複数の本体キーと、
前記本体キーの操作の受け付けを無効にすることを指示するための本体ホールドキーと、
前記本体ホールドキーが操作されることに応じて出力される操作信号を受信する第２受信手段と、
前記第１受信手段及び前記第２受信手段によって受信される操作信号に基づいて、前記本体キーの操作の受け付けを無効に制御するホールド制御手段と、
コンテンツを再生する再生手段と、
を備え、
前記ホールド制御手段は、前記第１受信手段によって受信される操作信号に基づいて無効に制御する場合には、前記複数の本体キーのうち前記再生手段を制御するための本体キーの操作の受け付けを無効に制御し、前記第２受信手段によって受信される操作信号に基づいて無効に制御する場合には、前記複数の本体キーのうち前記再生手段を制御するための本体キー及びそれ以外の本体キーの操作の受け付けを無効に制御することを特徴とする電子機器。
【請求項３】
コンピュータに、
リモートコントローラに備えられ、リモートコントローラキーの操作の受け付けを無効にすることを指示するためのリモートコントローラホールドキーが操作されることに応じて出力される操作信号を受信する第１受信機能、
電子機器本体に備えられ、本体キーの操作の受け付けを無効にすることを指示するための本体ホールドキーが操作されることに応じて出力される操作信号を受信する第２受信機能、
前記第１受信機能及び前記第２受信機能によって受信される操作信号に基づいて、前記本体キーの操作の受け付けを無効に制御するホールド制御機能、
を実現させ、
前記ホールド制御機能では、前記第１受信機能によって受信される操作信号に基づいて無効に制御する場合と、前記第２受信機能によって受信される操作信号に基づいて無効に制御する場合とで、複数の本体キーのうち操作の受け付けを無効にする本体キーの対象を異ならせるためのプログラム。
【請求項４】
コンピュータに、
リモートコントローラに備えられ、リモートコントローラキーの操作の受け付けを無効にすることを指示するためのリモートコントローラホールドキーが操作されることに応じて出力される操作信号を受信する第１受信機能、
電子機器本体に備えられ、本体キーの操作の受け付けを無効にすることを指示するための本体ホールドキーが操作されることに応じて出力される操作信号を受信する第２受信機能、
前記第１受信機能及び前記第２受信機能によって受信される操作信号に基づいて、前記本体キーの操作の受け付けを無効に制御するホールド制御機能、
コンテンツを再生する再生機能、
を実現させ、
前記ホールド制御機能では、前記第１受信機能によって受信される操作信号に基づいて無効に制御する場合には、複数の本体キーのうち前記再生機能を制御するための本体キーの操作の受け付けを無効に制御し、前記第２受信機能によって受信される操作信号に基づいて無効に制御する場合には、前記複数の本体キーのうち前記再生機能を制御するための本体キー及びそれ以外の本体キーの操作の受け付けを無効に制御するためのプログラム。
【発明の詳細な説明】
【技術分野】
【０００１】
本発明は、所定のキー操作を無効にするホールド機能を備えた電子機器、及び、そのプログラムに関する。
【背景技術】
【０００２】
従来から、本体に接続されて該本体を制御するためのリモートコントローラ（リモコン）と該本体とに所定のキー操作を無効にする（ホールドモードにする）ための切換スイッチを備える再生装置がある（例えば、特許文献１）。
【０００３】
しかし、特許文献１の技術は、本体の切替スイッチにより本体側をホールドモードに設定した場合、本体側のキー操作のみ無効となり、リモコン側でのキー操作は有効であった。本体側の切替スイッチとリモコン側とが連動していなかったため、本体の切替スイッチがホールドモードに設定されていないとき、リモコン側の切替スイッチがホールドモードに設定されているにも拘わらず、本体側のキーが偶発的に押し下げられてしまった場合には、ユーザの意図しない操作設定となってしまうことがあり、使い勝手が悪かった。
【特許文献１】特開平５−２１７２４２号公報
【発明の開示】
【発明が解決しようとする課題】
【０００４】
本発明は、上記問題点に鑑みてなされたもので、リモートコントローラと電子機器とのホールド機能を連動させる、ユーザの使い勝手のよい電子機器、及び、そのプログラムを提供することを目的とする。
【課題を解決するための手段】
【０００５】
本発明の第１の観点にかかる電子機器は、電子機器を操作するための複数のリモートコントローラキーを備えたリモートコントローラと接続された状態で前記リモートコントローラキーの操作に応答して動作する電子機器において、前記リモートコントローラに備えられ、前記リモートコントローラキーの操作の受け付けを無効にすることを指示するためのリモートコントローラホールドキーが操作されることに応じて出力される操作信号を受信する第１受信手段と、前記電子機器本体に備えられた複数の本体キーと、前記本体キーの操作の受け付けを無効にすることを指示するための本体ホールドキーと、前記本体ホールドキーが操作されることに応じて出力される操作信号を受信する第２受信手段と、前記第１受信手段及び前記第２受信手段によって受信される操作信号に基づいて、前記本体キーの操作の受け付けを無効に制御するホールド制御手段と、を備え、前記ホールド制御手段は、前記第１受信手段によって受信される操作信号に基づいて無効に制御する場合と、前記第２受信手段によって受信される操作信号に基づいて無効に制御する場合とで、前記複数の本体キーのうち操作の受け付けを無効にする本体キーの対象を異ならせることを特徴とする。
【０００６】
本発明の第２の観点に係る電子機器は、電子機器を操作するための複数のリモートコントローラキーを備えたリモートコントローラと接続された状態で前記リモートコントローラキーの操作に応答して動作する電子機器において、前記リモートコントローラに備えられ、前記リモートコントローラキーの操作の受け付けを無効にすることを指示するためのリモートコントローラホールドキーが操作されることに応じて出力される操作信号を受信する第１受信手段と、前記電子機器本体に備えられた複数の本体キーと、前記本体キーの操作の受け付けを無効にすることを指示するための本体ホールドキーと、前記本体ホールドキーが操作されることに応じて出力される操作信号を受信する第２受信手段と、前記第１受信手段及び前記第２受信手段によって受信される操作信号に基づいて、前記本体キーの操作の受け付けを無効に制御するホールド制御手段と、コンテンツを再生する再生手段と、を備え、前記ホールド制御手段は、前記第１受信手段によって受信される操作信号に基づいて無効に制御する場合には、前記複数の本体キーのうち前記再生手段を制御するための本体キーの操作の受け付けを無効に制御し、前記第２受信手段によって受信される操作信号に基づいて無効に制御する場合には、前記複数の本体キーのうち前記再生手段を制御するための本体キー及びそれ以外の本体キーの操作の受け付けを無効に制御することを特徴とする。
【０００９】
本発明の第３の観点に係るプログラムは、コンピュータに、リモートコントローラに備えられ、リモートコントローラキーの操作の受け付けを無効にすることを指示するためのリモートコントローラホールドキーが操作されることに応じて出力される操作信号を受信する第１受信機能、電子機器本体に備えられ、本体キーの操作の受け付けを無効にすることを指示するための本体ホールドキーが操作されることに応じて出力される操作信号を受信する第２受信機能、前記第１受信機能及び前記第２受信機能によって受信される操作信号に基づいて、前記本体キーの操作の受け付けを無効に制御するホールド制御機能、を実現させ、前記ホールド制御機能では、前記第１受信機能によって受信される操作信号に基づいて無効に制御する場合と、前記第２受信機能によって受信される操作信号に基づいて無効に制御する場合とで、複数の本体キーのうち操作の受け付けを無効にする本体キーの対象を異ならせることを特徴とする。
本発明の第４の観点に係るプログラムは、コンピュータに、リモートコントローラに備えられ、リモートコントローラキーの操作の受け付けを無効にすることを指示するためのリモートコントローラホールドキーが操作されることに応じて出力される操作信号を受信する第１受信機能、電子機器本体に備えられ、本体キーの操作の受け付けを無効にすることを指示するための本体ホールドキーが操作されることに応じて出力される操作信号を受信する第２受信機能、前記第１受信機能及び前記第２受信機能によって受信される操作信号に基づいて、前記本体キーの操作の受け付けを無効に制御するホールド制御機能、コンテンツを再生する再生機能、を実現させ、前記ホールド制御機能では、前記第１受信機能によって受信される操作信号に基づいて無効に制御する場合には、複数の本体キーのうち前記再生機能を制御するための本体キーの操作の受け付けを無効に制御し、前記第２受信機能によって受信される操作信号に基づいて無効に制御する場合には、前記複数の本体キーのうち前記再生機能を制御するための本体キー及びそれ以外の本体キーの操作の受け付けを無効に制御することを特徴とする。
【発明の効果】
【００１０】
リモートコントローラと電子機器とのホールド機能を連動させることで、ユーザの使い勝手が向上する。
【発明を実施するための最良の形態】
【００１１】
本発明の実施形態に係る携帯型電子機器は、図１に示すように、移動体通信端末１とリモートコントローラ部２とイヤホン部３とから構成される。
【００１２】
リモートコントローラ部２は、通信ケーブル７１を介してプラグ７０により移動体通信端末１のコネクタ２０に接続される。また、イヤホン部３は、通信ケーブル７４を介してプラグ７３によりリモートコントローラ部２のコネクタ７２に接続される。
【００１３】
図２に示すように、移動体通信端末１は、キー操作部１１０、楽曲記憶部１２０、楽曲再生部１３０、表示部１４０、楽曲再生制御部１５０、リモートコントローラＩ／Ｆ（インターフェース）１６０、音量制御部１７０、音響出力部１８０、通信部１９０、通話制御部２００、音声処理部２１０、などから構成される。
【００１４】
キー操作部１１０は、図３に示すような、移動体通信端末１の側面に備えられるサイドキー１０の入力又はＯＮ／ＯＦＦを受付け、キー操作に対応した操作信号を楽曲再生制御部１５０に送出する。
【００１５】
サイドキー１０には、図３に示すように、例えば、オン／オフフックキー１１、戻りキー１２、送りキー１３、再生／停止キー１４、ホールドキー１５、がある。
【００１６】
オン／オフフックキー１１は、移動体通信端末１に音声通話の着信があったときに着呼するためのキーである。また、音声通話中に、通話を切断するためのキーである。
【００１７】
戻りキー１２は、前の楽曲に戻るためのキーである。
【００１８】
送りキー１３は、後の楽曲に送るためのキーである。
【００１９】
再生／停止キー１４は、楽曲を再生又は停止させるためのキーである。
【００２０】
ホールドキー１５は、サイドキー１０の操作を無効化するためのスライド式のスイッチである。状態がＯＮのとき、サイドキー操作が無効になり、ＯＦＦのとき、サイドキー操作が有効になる。
ただし、音声通話の着信があったときのオン／オフフックキー１１は無効とならない。
【００２１】
図２に示す、楽曲記憶部１２０は、楽曲再生部１３０で再生する楽曲データを記憶する。
【００２２】
楽曲再生部１３０は、楽曲再生制御部１５０の制御のもと、楽曲記憶部１２０が記憶する楽曲データを再生する。再生する楽曲のデジタル信号は、楽曲再生制御部１５０の制御のもと、音響出力部１８０に送出される。
【００２３】
表示部１４０は、楽曲再生制御部１５０からの制御信号に基づいて種々の画像を表示する。
【００２４】
楽曲再生制御部１５０は、例えば、ＣＰＵ（Central Processing Unit）や動作プログラムを記憶するＲＯＭ（Read Only Memory）やワークエリアとなるＲＡＭ（Random Access Memory）から構成され、移動体通信端末１の各部を制御するとともに、動作プログラムに基づいて後述する各処理を実行する。なお、移動体通信端末１の各構成はそれぞれ楽曲再生制御部１５０と接続されており、各構成間での楽曲の再生に関するデータ授受などは楽曲再生制御部１５０を介してなされる。
【００２５】
楽曲再生制御部１５０は、キー操作管理部１５１と状態管理部１５２とをさらに備える。
【００２６】
キー操作管理部１５１は、キー操作部１１０から受信するサイドキー１０の操作信号やリモートコントローラ部２からの操作信号に対応する動作を格納し、該操作信号を解析する。
【００２７】
状態管理部１５２は、移動体通信端末１やリモートコントローラ部２の状態を管理するためのフラグを格納する。フラグには、リモコンＨＯＬＤフラグとサイドキー無効フラグとがある。
【００２８】
リモコンＨＯＬＤフラグは、移動体通信端末１のサイドキー１０とリモートコントローラ部２とのＨＯＬＤモード（操作の有効または無効）を判別するためのフラグであり、「１」がセットされている場合、サイドキー１０とリモートコントローラ部２とがＨＯＬＤモードである。
【００２９】
サイドキー無効フラグは、移動体通信端末１のサイドキー１０の操作が有効か無効かを判別するためのフラグであり、「１」がセットされている場合、サイドキー１０の操作は無効である。ただし、「０」の場合でも、リモコンＨＯＬＤフラグに「１」がセットされている場合、サイドキー１０の操作は無効になる。
【００３０】
リモコンＨＯＬＤフラグは、図４に示す、リモートコントローラ部２のホールドスイッチ８６によりセット又はリセットされ、一方サイドキー無効フラグはサイドキー１０のホールドキー１５の操作によりセット又はリセットされる。
リモートコントローラ部２をＨＯＬＤモードにすると、リモートコントローラ部２及びサイドキー１０の操作が無効になる。１の操作で両方ともを無効に出来るため、ユーザの利便性が向上し、サイドキー１０によって意図しない操作をしてしまうことを防止できる。
【００３１】
また、サイドキー１０の操作のみを無効にしたいときは、サイドキー１０のみＨＯＬＤモードにすることでサイドキー１０のみ無効になる。
【００３２】
リモートコントローラＩ／Ｆ（インターフェース）１６０は、リモートコントローラ部２から制御信号を受信する。また、リモートコントローラ部２に楽曲のアナログ信号を送出する。
【００３３】
リモートコントローラＩ／Ｆ１６０は、リモートコントローラ部２から受信した制御信号を解析するコンパレータ１６２と、解析した制御信号を楽曲再生制御部１５０にて受信可能な信号にデコードするデコーダ１６１と、を備える。デコードした制御信号は楽曲再生制御部１５０に送出される。
【００３４】
音量制御部１７０は、予め設定された音量で楽曲を再生するため、楽曲再生制御部１７０の制御のもと、音響出力部１８０の出力音量を制御する。
【００３５】
音響出力部１８０は、楽曲再生制御部１５０の制御のもと、楽曲再生部１３０で再生する楽曲のデジタル信号をアナログ信号に変換してスピーカ１８１または、リモートコントローラＩ／Ｆ１６０を介してリモートコントローラ部２に出力する。
【００３６】
通信部１９０は、アンテナ１９１を介して移動体通信網からデジタル音声信号を受信する。また、アンテナ１９１を介して移動体通信網にデジタル音声信号を送信する。
【００３７】
通話制御部２００は、通信部１９０と音声処理部２１０とを制御することで、移動体通信端末１００の通話機能にかかる通信を制御する。
【００３８】
音声処理部２１０は、通話制御部２００の制御のもと、通信部１９０が受信したデジタル音声データをアナログ音声信号に変換してスピーカ２１１から出力する。また、通話制御部２００の制御のもと、マイクロフォン２１２に入力された音声をデジタル音声信号に変換して通信部１９０に送出する。
【００３９】
以上説明した移動体通信端末１の各構成は、本発明を実現するために必要な構成であり、移動体通信端末としての基本機能に必要なその他の構成や、種々の付加機能に必要な構成などは、必要に応じて備えられているものとする。
【００４０】
リモートコントローラ部２は、図４に示すように各種のスイッチ等を備える。
【００４１】
オン／オフフックスイッチ８０は、移動体通信端末１に音声通話の着信があったときに着呼するためのスイッチである。また、音声通話中に、通話を切断するためのスイッチである。
【００４２】
再生／一時停止スイッチ８１は、楽曲を再生又は一時停止させるためのスイッチである。
【００４３】
戻りスイッチ８２は、前の楽曲に戻るためのスイッチである。
【００４４】
送りスイッチ８３は、後の楽曲に送るためのスイッチである。
【００４５】
マイク８４は、音声通話中に音声を入力する装置である。
【００４６】
音量スイッチ８５（図中では８５a、８５ｂ）は、楽曲の再生音量を調整するためのスイッチであり、音量を上げる音量ＵＰスイッチ８５ａと音量を下げる音量ＤＯＷＮスイッチ８５ｂとがある。
【００４７】
ホールドスイッチ８６は、リモートコントローラ部２や移動体通信端末１のサイドキー１０の操作を無効化するためのスイッチである。状態がＯＮのとき、スイッチ操作が無効になり、ＯＦＦのとき、スイッチ操作が有効になる。
【００４８】
クリップ８７は、ユーザの衣服などにリモートコントローラ部２を固定する際に用いられる。
【００４９】
図２に示す、キー操作部２２０は上述したリモートコントローラ部２のスイッチの入力又はＯＮ／ＯＦＦを受付け、スイッチに対応した操作信号を移動体通信端末１に送出する。
【００５０】
また、リモートコントローラ部２は、移動体通信端末１から受信した楽曲のアナログ信号をイヤホン部３に送出する。
【００５１】
イヤホン部３は、移動体通信端末１からリモートコントローラ部２を介して受信した楽曲のアナログ信号をイヤホン３Ｒ（右）とイヤホン３Ｌ（左）とから出力する。
【００５２】
次に、上記構成の移動体通信端末１の動作について説明する。
【００５３】
楽曲再生制御部１５０は、移動体通信端末１の電源が投入されるとリモートコントローラ部２からの操作信号に応じた動作をするために、タイマ割り込みで、リモコンＨＯＬＤ設定処理を実行する。図５はリモコンＨＯＬＤ設定処理の処理内容を示すフローチャ−トである。
【００５４】
リモコンＨＯＬＤ設定処理では、リモートコントローラ部２からリモートコントローラＩ／Ｆ１６０を介してスイッチ操作信号を受信したか否かを定期的に判別する（ステップＳ１０１）。
【００５５】
スイッチ操作信号を受信しない場合（ステップＳ１０１；Ｎｏ）、リモートコントローラ部２からスイッチ操作信号の受信があるまで（ステップＳ１０１：Ｙｅｓ）繰り返し、スイッチ操作信号の判別処理を行う。
【００５６】
スイッチ操作信号を受信した場合（ステップＳ１０１；Ｙｅｓ）、キー操作管理部１５１によって、その操作信号を解析する（ステップＳ１０２）。
【００５７】
そして、ステップＳ１０２で解析した操作信号がＨＯＬＤモード設定指令であるか否かを判別する（ステップＳ１０３）。
【００５８】
ＨＯＬＤモード設定指令である場合（ステップＳ１０３；Ｙｅｓ）、移動体通信端末１をＨＯＬＤモードに設定するため、状態管理部１５２に格納されるリモコンＨＯＬＤフラグに「１」をセットする（ステップＳ１０４）。ステップＳ１０４が終了すると、リモートコントローラ部２から新たなスイッチ操作信号の受信を判別するため、ステップＳ１０１に処理を戻す。
【００５９】
ＨＯＬＤモード設定指令でない場合（ステップＳ１０３；Ｎｏ）、ステップＳ１０２で解析した操作信号がＨＯＬＤモード解除指令であるか否かを判別する（ステップＳ１０５）。
【００６０】
ＨＯＬＤモード解除指令である場合（ステップＳ１０５；Ｙｅｓ）、移動体通信端末１のＨＯＬＤモードを解除するため、リモコンＨＯＬＤフラグを「０」にリセットする（ステップＳ１０６）。ステップＳ１０６が終了すると、リモートコントローラ部２から新たなスイッチ操作信号の受信を判別するため、ステップＳ１０１に処理を戻す。
【００６１】
ＨＯＬＤモード解除指令でない場合（ステップＳ１０５；Ｎｏ）、リモコンＨＯＬＤフラグが「０」であるか否かを判別する（ステップＳ１０７）。
【００６２】
リモコンＨＯＬＤフラグが「０」である場合（ステップＳ１０７；Ｙｅｓ）、リモートコントローラ部２はＨＯＬＤモードではないので、それぞれのスイッチ操作に応じた処理を実行する（ステップＳ１０８）。ステップＳ１０７が終了すると、リモートコントローラ部２から新たなスイッチ操作信号の受信を判別するため、ステップＳ１０１に処理を戻す。
【００６３】
リモコンＨＯＬＤフラグが「０」でない場合（ステップＳ１０７；Ｎｏ）、リモートコントローラ部２はＨＯＬＤモードなので、スイッチ操作に応じた処理を実行せず、リモートコントローラ部２から新たなスイッチ操作信号の受信を判別するため、ステップＳ１０１に処理を戻す。
【００６４】
以上までの処理がリモコンＨＯＬＤ設定処理である。
このリモコンＨＯＬＤ処理を実行することでリモートコントローラ部２の操作によるＨＯＬＤモード設定や、操作に応じた処理を移動体通信端末１で実行することができる。
【００６５】
次に移動体通信端末１側で行われるＨＯＬＤ設定処理について説明する。このＨＯＬＤ設定処理は、楽曲再生制御部１５０によって、移動体通信端末１の電源が投入されるとサイドキー１０からの操作信号に応じた動作をするために、タイマ割り込みで実行を開始する。図６はＨＯＬＤ設定処理の処理内容を示すフローチャ−トである。
【００６６】
まず、ＨＯＬＤ設定処理では、サイドキー１０からキー操作部１１０を介してサイドキー１０の操作信号を受信したか否か判別する（ステップＳ２０１）。
【００６７】
サイドキー１０の操作信号を受信しない場合（ステップＳ２０１；Ｎｏ）、サイドキー１０からの操作信号を受信するまで繰り返し受信判別を行う。
【００６８】
サイドキー１０の操作信号を受信した場合（ステップＳ２０１；Ｙｅｓ）、楽曲再生部１３０で楽曲を再生中（プレイモード）であるか否かを判別する（ステップＳ２０２）。
【００６９】
上述したステップＳ２０２の判別処理の結果がプレイモードでなかった場合（ステップＳ２０２：Ｎｏ）、サイドキー操作信号を無効としてＨＯＬＤ設定処理を終える。
【００７０】
また、ステップＳ２０２の判別処理の結果がプレイモードであった場合、（ステップＳ２０２；Ｙｅｓ）、キー操作管理部１５１によって、上述したステップＳ２０１で受信した操作信号を解析する（ステップＳ２０３）。
【００７１】
そして、ステップＳ２０３で解析した操作信号がホールドキー１５の操作によるＨＯＬＤモード設定指令であるか否かを判別する（ステップＳ２０４）。
【００７２】
ＨＯＬＤモード設定指令である場合（ステップＳ２０４；Ｙｅｓ）、移動体通信端末１のサイドキー操作を無効に設定するため、状態管理部１５２に格納されるサイドキー無効フラグに「１」をセットする（ステップＳ２０５）。サイドキー無効フラグに「１」をセットすると、サイドキー１０からの新たな操作信号の受信を判別するため、ステップＳ２０１に処理を戻す。
【００７３】
ＨＯＬＤモード設定指令でない場合（ステップＳ２０４；Ｎｏ）、ステップＳ２０３で解析した操作信号がホールドキー１５の操作によるＨＯＬＤモード解除指令であるか否かを判別する（ステップＳ２０６）。
【００７４】
ＨＯＬＤモード解除指令である場合（ステップＳ２０６；Ｙｅｓ）、サイドキー操作の無効の設定を解除するため、状態管理部１５２に格納されているサイドキー無効フラグを「０」にリセットする（ステップＳ２０７）。サイドキー無効フラグを「０」にリセットすると、サイドキー１０からの新たな操作信号の受信を判別するため、ステップＳ２０１に処理を戻す。
【００７５】
受信したサイドキー操作信号がＨＯＬＤモード解除指令でない場合（ステップＳ２０６；Ｎｏ）、状態管理部１５２におけるサイドキー無効フラグが「０」であるか否かを判別する（ステップＳ２０８）。
【００７６】
サイドキー無効フラグが「１」である場合（ステップＳ２０８；Ｎｏ）、サイドキー１０による操作が無効となる。この場合、サイドキー１０からの操作信号の受信を判別するため、上述したステップＳ２０１に処理を戻す。
【００７７】
サイドキー無効フラグが「０」である場合（ステップＳ２０８；Ｙｅｓ）、サイドキー１０による操作が有効になる。この場合、続いて状態管理部１５２に格納されるリモコンＨＯＬＤフラグが「１」であるか否かを判別する（ステップＳ２０９）。
【００７８】
リモコンＨＯＬＤフラグが「１」である場合（ステップＳ２０９；Ｙｅｓ）、サイドキーによる操作は通話関係のキーを除いて無効となる。このとき、ステップＳ２０３で解析した操作信号が通話関係のキーであるオン／オフフックキー１１であるか否かを判別する（ステップＳ２１０）。
【００７９】
オン／オフフックキー１１の操作信号である場合（ステップＳ２１０；Ｎｏ）、その操作は無効であるので、上述したステップＳ２０１に処理を戻す。
【００８０】
オン／オフフックキー１１の操作信号である場合（ステップＳ２１０；Ｙｅｓ）、楽曲再生部１３０を制御してプレイモードを一時停止し、通話制御部２００を制御して、対応する通話処理を実行させる（ステップＳ２１１）。
そして、プレイモードであるか否かを判別するため、上述したステップＳ２０１に処理を戻す。
【００８１】
リモコンＨＯＬＤフラグが「０」である場合（ステップＳ２０９；Ｎｏ）、サイドキーの操作は有効となる。
この場合、ステップＳ２０３で解析した操作信号が停止キー１４であるか否かを判別する（ステップＳ２１２）。
【００８２】
停止キー１４の操作信号である場合（ステップＳ２１２；Ｙｅｓ）、楽曲再生部１３０を制御して楽曲の再生を停止させてプレイモードを解除し（ステップＳ２１４）、ＨＯＬＤ設定処理を終える。
【００８３】
停止キー１４の操作信号ではない場合（ステップＳ２１２；Ｎｏ）、操作されたキーに応じた処理を実行する（ステップＳ２１３）。そして、サイドキー１０からの新たな操作信号の受信を判別するため上述したステップＳ２０１の処理に戻す。
【００８４】
以上までの処理がＨＯＬＤ処理である。
このＨＯＬＤ処理を実行することで移動体通信端末１のサイドキー１０の操作によるサイドキー無効の設定や、操作に応じた処理を移動体通信端末１で実行することができる。
【００８５】
以上説明したように、リモートコントローラ部２のＨＯＬＤモード設定に連動して、移動体通信端末１もＨＯＬＤモード設定になる。したがって、リモートコントローラ部２からの操作で、移動体通信端末１のサイドキー１０が偶発的に押し下げられた場合の音量の変化や曲の切り替わりを防止することができる。
【００８６】
なお、この発明は上記実施の形態に限定されず、種々の変形及び応用が可能である。
【００８７】
サイドキー１０や、リモートコントローラ部２のスイッチの配列は一例であり、本発明の目的を達成できる構成であれば任意である。
【００８８】
上記実施形態では、リモートコントローラ部２と移動体通信端末１とは通信ケーブル７１により接続され、制御信号の送受信は通信ケーブル７１を介して行っていたが、通信ケーブル７１によらず、無線通信によって行ってもよい。
【００８９】
上記実施形態の移動体通信端末１のキーやリモートコントローラ部２のスイッチは、ユーザによる操作が可能であれば形状、構成は任意である。
例えば、押下可能なボタンで構成したり、接触により動作するようなスイッチであったり、液晶表示部で構成したタッチパネルであってもよい。
【００９０】
上記実施形態では、リモートコントローラ部２がＨＯＬＤ設定のときに、移動体通信端末１でリモートコントローラ部２からの操作を無効にしていたが（図５：ステップＳ１０７）、ＨＯＬＤ設定のときはリモートコントローラ部２から操作信号を送出しない構成であってもよい。
【００９１】
上記実施形態の移動体通信端末１は、携帯電話機やＰＨＳ（Personal Handyphone System）又はその他の電話機であってもよい。また、本発明を移動体通信端末１に適用したものとして説明したが、ＰＤＡ（Personal Digital Assistance）等の他の携帯端末、音楽や映像を再生する携帯型再生装置などの他の携帯電子機器に適用することも可能である。
【００９２】
また、上記実施形態では、楽曲再生制御部１５０が実行するプログラムは、予めＲＯＭに記憶されていたが、ネットワークを介して所定の記憶媒体に記憶するようにしてもよい。
【図面の簡単な説明】
【００９３】
【図１】本発明の実施の形態に係る移動体通信端末の概略図である。
【図２】図１に示す移動体通信端末のシステム構成を示すブロック図ある。
【図３】図１に示す移動体通信端末の側面図である。
【図４】リモートコントローラの概略図である。
【図５】リモコンＨＯＬＤ設定処理の動作を説明するためのフローチャートである。
【図６】ＨＯＬＤ設定処理の動作を説明するためのフローチャートである。
【符号の説明】
【００９４】
１…移動体通信端末１、２…リモートコントローラ部、３…イヤホン部、１０…サイドキー、１１０…キー操作部、１２０…楽曲記憶部、１３０…楽曲再生部、１４０…表示部、１５０…楽曲再生制御部、１６０…リモートコントローラＩ／Ｆ、１７０…音量制御部、１８０…音響出力部、１９０…通信部、２００…通信制御部、２１０…音声処理部、２２０…キー操作部
【図１】
0004819543.tif 000002
【図２】
0004819543.tif 000003
【図３】
0004819543.tif 000004
【図４】
0004819543.tif 000005
【図５】
0004819543.tif 000006
【図６】
0004819543.tif 000007